(57)【要約】【課題】カーシェアリングサービスにおけるステーションの複数のオーナーが提供し、複数のパートナーにより管理される複数のステーションの車両をシームレスに予約するプラットフォームは存在しなかった。【解決手段】２以上のカーシェア情報、２以上のオーナー情報、２以上のパートナー情報を格納し、１以上の予約情報が格納される予約情報格納部と、２以上のパートナーが管理する２以上のステーションの予約を行う画面を構成する画面情報が格納される画面情報格納部と、画面出力指示をユーザ端末から受信する画面出力指示受信部と、画面出力指示に応じて、画面情報をユーザ端末に送信する画面情報送信部と、貸与指示をユーザ端末から受信する貸与指示受信部と、貸与指示に応じて、予約情報を構成し、予約情報格納部に蓄積する予約情報構成部とを具備する予約管理装置により、かかるプラットフォームを提供できる。【選択図】図１
2018200589.tif 000002
【特許請求の範囲】
【請求項１】
ステーションに関する情報であり、ステーションを識別するステーション識別子を有する２以上のカーシェア情報が格納されるカーシェア情報格納部と、
ステーションのオーナーに関する情報であり、オーナーを識別するオーナー識別子と１以上のステーション識別子とを有する２以上のオーナー情報が格納されるオーナー情報格納部と、
１以上のステーションを管理する組織であるパートナーに関する情報であり、１以上のオーナー識別子または１以上のステーション識別子と、パートナーを識別するパートナー識別子とを有する２以上のパートナー情報が格納されるパートナー情報格納部と、
車両の予約に関する情報であり、車両を予約するユーザを識別するユーザ識別子と、ステーション識別子または車両を識別する車両識別子とを有する１以上の予約情報が格納される予約情報格納部と、
２以上のパートナー識別子に対応する２以上のパートナーが管理する２以上のステーションの予約を行う画面を構成する画面情報が格納される画面情報格納部と、
画面情報の出力の指示である画面出力指示を、ユーザ端末から受信する画面出力指示受信部と、
前記画面出力指示の受信に応じて、前記画面情報を前記ユーザ端末に送信する画面情報送信部と、
車両の貸与の申し出であり、ステーション識別子またはステーション内の一の車両を識別する車両識別子と、車両の貸与の時間帯に関する時間帯情報とを有する申し出である貸与指示を、ユーザ端末から受信する貸与指示受信部と、
前記貸与指示の受信に応じて、予約情報を構成し、前記予約情報格納部に蓄積する予約情報構成部とを具備する予約管理装置。
【請求項２】
ステーションの予約またはステーションの利用に対して、前記ユーザに課金するための課金処理を行う課金処理部と、
前記課金処理により課金された金額を、前記オーナーと前記パートナーと当該予約管理装置の運営企業との間で分配するための分配処理を行う分配処理部とをさらに具備する請求項１記載の予約管理装置。
【請求項３】
前記課金処理部は、
予め決められた条件を満たした場合に、前記課金処理を行う請求項２記載の予約管理装置。
【請求項４】
前記パートナー情報は、
オーナーとパートナーとの間の分配に関する分配情報、パートナーと当該予約管理装置の運営企業との間の分配に関する分配情報のうちに１以上の分配情報を有し、
前記分配処理部は、
前記パートナー情報が有する分配情報を用いて、分配処理を行う請求項２または請求項３記載の予約管理装置。
【請求項５】
前記オーナー情報は、
オーナーとパートナーとの間の分配に関する分配情報を有し、
前記分配処理部は、
前記オーナー情報が有する分配情報を用いて、分配処理を行う請求項２から請求項４いずれか一項に記載の予約管理装置。
【請求項６】
パートナー情報と、当該パートナー情報に対応する１以上のオーナー情報と，当該オーナー情報に対応する１以上のカーシェア情報を有するパートナー登録情報を受け付ける受付部と、
前記パートナー登録情報が有するパートナー情報を前記パートナー情報格納部に蓄積し、前記パートナー登録情報が有する１以上のオーナー情報を前記オーナー情報格納部に蓄積し、前記パートナー登録情報が有する１以上のカーシェア情報を前記カーシェア情報格納部に蓄積するパートナー登録部とをさらに具備する請求項１から請求項５いずれか一項に記載の予約管理装置。
【請求項７】
記録媒体は、
ステーションに関する情報であり、ステーションを識別するステーション識別子を有する２以上のカーシェア情報が格納されるカーシェア情報格納部と、
ステーションのオーナーに関する情報であり、オーナーを識別するオーナー識別子と１以上のステーション識別子とを有する２以上のオーナー情報が格納されるオーナー情報格納部と、
１以上のステーションを管理する組織であるパートナーに関する情報であり、１以上のオーナー識別子または１以上のステーション識別子と、パートナーを識別するパートナー識別子とを有する２以上のパートナー情報が格納されるパートナー情報格納部と、
車両の予約に関する情報であり、車両を予約するユーザを識別するユーザ識別子と、ステーション識別子または車両を識別する車両識別子とを有する１以上の予約情報が格納される予約情報格納部と、
２以上のパートナー識別子に対応する２以上のパートナーが管理する２以上のステーションの予約を行う画面を構成する画面情報が格納される画面情報格納部とを具備し、
画面出力指示受信部、画面情報送信部、貸与指示受信部、および予約情報構成部によって実現される予約管理方法であって、
前記画面出力指示受信部が、画面情報の出力の指示である画面出力指示を、ユーザ端末から受信する画面出力指示受信ステップと、
前記画面情報送信部が、前記画面出力指示の受信に応じて、前記画面情報を前記ユーザ端末に送信する画面情報送信ステップと、
前記貸与指示受信部が、車両の貸与の申し出であり、ステーション識別子またはステーション内の一の車両を識別する車両識別子と、車両の貸与の時間帯に関する時間帯情報とを有する申し出である貸与指示を、ユーザ端末から受信する貸与指示受信ステップと、
前記予約情報構成部が、前記貸与指示の受信に応じて、予約情報を構成し、前記予約情報格納部に蓄積する予約情報構成ステップとを含む予約管理方法。
【請求項８】
コンピュータがアクセス可能な記録媒体は、
ステーションに関する情報であり、ステーションを識別するステーション識別子を有する２以上のカーシェア情報が格納されるカーシェア情報格納部と、
ステーションのオーナーに関する情報であり、オーナーを識別するオーナー識別子と１以上のステーション識別子とを有する２以上のオーナー情報が格納されるオーナー情報格納部と、
１以上のステーションを管理する組織であるパートナーに関する情報であり、１以上のオーナー識別子または１以上のステーション識別子と、パートナーを識別するパートナー識別子とを有する２以上のパートナー情報が格納されるパートナー情報格納部と、
車両の予約に関する情報であり、車両を予約するユーザを識別するユーザ識別子と、ステーション識別子またはステーション内の一の車両を識別する車両識別子とを有する１以上の予約情報が格納される予約情報格納部と、
２以上のパートナー識別子に対応する２以上のパートナーが管理する２以上のステーションの予約を行う画面を構成する画面情報が格納される画面情報格納部とを具備し、
前記コンピュータを、
画面情報の出力の指示である画面出力指示を、ユーザ端末から受信する画面出力指示受信部と、
前記画面出力指示の受信に応じて、前記画面情報を前記ユーザ端末に送信する画面情報送信部と、
車両の貸与の申し出であり、ステーション識別子またはステーション内の一の車両を識別する車両識別子と、車両の貸与の時間帯に関する時間帯情報とを有する申し出である貸与指示を、ユーザ端末から受信する貸与指示受信部と、
前記貸与指示の受信に応じて、予約情報を構成し、前記予約情報格納部に蓄積する予約情報構成部として機能させるためのプログラム。
【発明の詳細な説明】
【技術分野】
【０００１】
本発明は、カーシェアリングにおける車両の予約を管理する予約管理装置等に関するものである。
【背景技術】
【０００２】
従来、カーシェアリングシステムにおいて、車両とステーションとの紐付けを低コストで行うカーシェアリングシステムがあった（例えば、特許文献１参照）。
【０００３】
また、カーシェアリングの予約が行えるウェブページがあった（例えば、非特許文献１参照）。
【先行技術文献】
【特許文献】
【０００４】
【特許文献１】特開２０１７−６８４４９号公報
【非特許文献】
【０００５】
【非特許文献１】"カーシェアリングならタイムズカープラス"、［online］、［平成２９年５月５日検索］、インターネット［URL：http://plus.timescar.jp/use/reserve.html］
【発明の概要】
【発明が解決しようとする課題】
【０００６】
従来、カーシェアリングサービスを行う企業が、複数存在し、今後も増加していくものと考えられる。
【０００７】
そのため、従来技術においては、ユーザは、カーシェアリングを利用しようとする場合、異なるユーザインターフェイスの複数のウェブサイトにアクセスせざるを得ない状況であり、利用しにくかった。
【０００８】
一方、複数のカーシェアリングサービスにおける車両の予約サイトの運営会社の複数のウェブサイトを統合するような仕組みが存在しなかった。
【０００９】
つまり、従来技術においては、複数のステーションのオーナーが提供し、複数の管理組織であるパートナー（現在の予約サイトの運営会社に相当）により管理される複数のステーションのいずれかの車両をシームレスに予約するプラットフォームが存在しなかった。
【課題を解決するための手段】
【００１０】
本第一の発明の予約管理装置は、カーシェアリングサービスに関する情報であり、車両を借り受ける車両借受け先のステーションを識別するステーション識別子を有する２以上のカーシェア情報が格納されるカーシェア情報格納部と、ステーションのオーナーに関する情報であり、オーナーを識別するオーナー識別子と１以上のステーション識別子とを有する２以上のオーナー情報が格納されるオーナー情報格納部と、１以上のステーションを管理する組織であるパートナーに関する情報であり、１以上のオーナー識別子または１以上のステーション識別子と、パートナーを識別するパートナー識別子とを有する２以上のパートナー情報が格納されるパートナー情報格納部と、車両の予約に関する情報であり、車両を予約するユーザを識別するユーザ識別子と、ステーション識別子または車両を識別する車両識別子とを有する１以上の予約情報が格納される予約情報格納部と、２以上のパートナー識別子に対応する２以上のパートナーが管理する２以上のステーションの車両の予約を行う画面を構成する画面情報が格納される画面情報格納部と、画面情報の出力の指示である画面出力指示を、ユーザ端末から受信する画面出力指示受信部と、画面出力指示の受信に応じて、画面情報をユーザ端末に送信する画面情報送信部と、車両の貸与の申し出であり、ステーション識別子またはステーション内の一の車両を識別する車両識別子と、車両の貸与の時間帯に関する時間帯情報とを有する申し出である貸与指示を、ユーザ端末から受信する貸与指示受信部と、貸与指示の受信に応じて、予約情報を構成し、予約情報格納部に蓄積する予約情報構成部とを具備する予約管理装置である。
【００１１】
かかる構成により、複数のステーションのオーナーが提供し、複数の管理組織であるパートナーにより管理される複数のステーションをシームレスに予約できるプラットフォームを提供できる。
【００１２】
また、本第二の発明の予約管理装置は、第一の発明に対して、車両の予約または車両の利用に対して、ユーザに課金するための課金処理を行う課金処理部と、
課金処理により課金された金額を、オーナーとパートナーと当該予約管理装置の運営企業との間で分配するための分配処理を行う分配処理部とをさらに具備する予約管理装置である。
【００１３】
かかる構成により、上記プラットフォームにおいて、課金した金額を適切に分配できる。
【００１４】
また、本第三の発明の予約管理装置は、第二の発明に対して、課金処理部は、予め決められた条件を満たした場合に、課金処理を行う予約管理装置である。
【００１５】
かかる構成により、上記プラットフォームにおいて、適切に課金できる。
【００１６】
また、本第四の発明の予約管理装置は、第二または第三の発明に対して、パートナー情報は、オーナーとパートナーとの間の分配に関する分配情報、パートナーと予約管理装置の運営企業との間の分配に関する分配情報のうちに１以上の分配情報を有し、分配処理部は、パートナー情報が有する分配情報を用いて、分配処理を行う予約管理装置である。
【００１７】
かかる構成により、パートナー毎の分配条件に従った、金額の分配ができる。
【００１８】
また、本第五の発明の予約管理装置は、第二から第四いずれか１つの発明に対して、オーナー情報は、オーナーとパートナーとの間の分配に関する分配情報を有し、分配処理部は、オーナー情報が有する分配情報を用いて、分配処理を行う予約管理装置である。
【００１９】
かかる構成により、オーナー毎の分配条件に従った、金額の分配ができる。
【００２０】
また、本第六の発明の予約管理装置は、第一から第五いずれか１つの発明に対して、パートナー情報と、当該パートナー情報に対応する１以上のオーナー情報と，当該オーナー情報に対応する１以上のカーシェア情報を有するパートナー登録情報を受け付ける受付部と、パートナー登録情報が有するパートナー情報をパートナー情報格納部に蓄積し、パートナー登録情報が有する１以上のオーナー情報をオーナー情報格納部に蓄積し、パートナー登録情報が有する１以上のカーシェア情報をカーシェア情報格納部に蓄積するパートナー登録部とをさらに具備する予約管理装置である。
【００２１】
かかる構成により、パートナー情報等の登録ができる。
【発明の効果】
【００２２】
本発明によれば、複数のステーションのオーナーが提供し、複数の管理組織であるパートナーにより管理される複数のステーションにおけるカーシェアリングサービスの車両をシームレスに予約するプラットフォームを提供できる。
【図面の簡単な説明】
【００２３】
【図１】実施の形態における予約管理システムのブロック図
【図２】同予約管理装置の動作を説明するフローチャート
【図３】同管理端末の動作を説明するフローチャート
【図４】同ユーザ端末の動作を説明するフローチャート
【図５】具体例１におけるカーシェア情報のデータ構造図
【図６】同オーナー情報のデータ構造図
【図７】同パートナー情報のデータ構造図
【図８】同画面情報の出力例を示す図
【図９】同予約管理システムを用いて実現されるプラットフォームの概念図
【図１０】具体例２におけるオーナー情報のデータ構造図
【図１１】同パートナー情報のデータ構造図
【図１２】同コンピュータシステムの外観図
【図１３】同コンピュータシステムの内部構成の一例を示す図
【発明を実施するための形態】
【００２４】
以下、予約管理装置を含む予約管理システムの実施形態について図面を参照して説明する。なお、実施の形態において同じ符号を付した構成要素は同様の動作を行うので、再度の説明を省略する場合がある。
【００２５】
本実施の形態では、カーシェアリングサービスにおける車両の予約を３階層以上の管理者（例えば、オーナー、パートナー、運営企業など）が管理する予約管理システムについて説明する。また、課金、および分配を行う予約管理システムについて説明する。また、予め決められた条件を満たした場合に（例えば、利用開始予定時刻前の閾値以内（例えば、利用開始予定時刻の１０分前）になったこと、利用開始予定時刻から予め決められた後の時刻（例えば、利用開始予定時刻の３分後）になったこと、実利用を検知したこと等に応じて）、課金する予約管理システムについて説明する。また、パートナー毎に金額の分配条件を管理する予約管理システムについて説明する。また、オーナー毎に金額の分配条件を管理する予約管理システムについて説明する。さらに、オーナーの情報と共にパートナーの情報を登録できる予約管理システムについて説明する。
【００２６】
図１は、本実施の形態における予約管理システムのブロック図である。この予約管理システムは、予約管理装置１、１または２以上の管理端末２、および１または２以上のユーザ端末３を備える。１以上の管理端末２および１以上のユーザ端末３の各々は、例えば、ＬＡＮやインターネット等のネットワーク、無線または有線の通信回線などを介して、予約管理装置１と通信可能に接続される。
【００２７】
予約管理装置１は、予約管理システムを運営する運営企業のサーバである。予約管理装置１は、例えば、クラウドサーバであるが、そのタイプや設置場所は問わない。
【００２８】
管理端末２は、本予約管理システムを管理する管理者の端末である。管理者とは、例えば、本予約管理システムの運営企業、パートナー、オーナーなどである。ユーザ端末３は、本予約管理システムを利用して車両の予約を行うユーザの端末である。ここでの車両の予約とは、カーシェアリングサービスにおける車両の予約である、また、管理者、ユーザいずれの端末も、例えば、いわゆるパーソナルコンピュータ（ＰＣ）、ノートパソコン、スマートフォン、携帯電話、携帯端末、タブレット端末等であり、その種類は問わない。
【００２９】
予約管理装置１は、格納部１１、受付部１２、受信部１３、処理部１４、および送信部１５を備える。格納部１１は、カーシェア情報格納部１１１、オーナー情報格納部１１２、パートナー情報格納部１１３、画面情報格納部１１４、および予約情報格納部１１５を備える。受信部１３は、画面出力指示受信部１３１、および貸与指示受信部１３２を備える。処理部１４は、パートナー登録部１４１、オーナー登録部１４２、予約情報構成部１４３、課金処理部１４４、および分配処理部１４５を備える。送信部１５は、画面情報送信部１５１を備える。
【００３０】
管理端末２は、管理受付部２１、管理処理部２２、管理出力部２３、管理受信部２４、および管理送信部２５を備える。
【００３１】
ユーザ端末３は、ユーザ受付部３１、ユーザ処理部３２、ユーザ送信部３３、ユーザ受信部３４、およびユーザ出力部３５を備える。
【００３２】
予約管理装置１を構成する格納部１１は、各種の情報を格納し得る。各種の情報とは、例えば、カーシェア情報、オーナー情報、パートナー情報、画面情報などである。
【００３３】
カーシェア情報格納部１１１には、２以上のカーシェア情報が格納される。カーシェア情報とは、カーシェアリングサービスに関する情報である。カーシェア情報は、ステーション識別子を有する。ステーション識別子とは、ステーションを識別する情報である。ステーションとは、カーシェアリングにおいて、ユーザに貸与する車両が存在する場所である。ステーションとは、カーシェアリングにおいて、不使用時に１以上の車両が駐車されている場所である。ステーション識別子は、例えば、ステーションを識別するＩＤ、ステーションの位置を示す位置情報、ステーション名などであるが、ステーションを識別できれば何でもよい。ステーションとは、移動体を駐車する場所である。移動体は、通常、自動車やバスなどの四輪車であるが、二輪車、自転車等の他の移動体を含むと考えても良い。なお、移動体は、車両と言っても良い。
【００３４】
カーシェア情報は、例えば、１以上の車両情報を有する。車両情報は、ステーションに存在する車両の情報であり、車両を識別する車両識別子を有する。車両情報は、例えば、車種、乗車可能人数、色、車両の画像、料金情報などを有する。料金情報は、例えば、単位時間当たりの料金、時間帯別の料金などの情報を含む。単位時間とは、例えば、１時間、３０分、１５分、一日などである。時間帯とは、例えば、９時〜１８時、１８時以降、終日、平日、休日などであるが、これに限らない。ただし、料金情報の内容は問わない。カーシェア情報は、例えば、位置情報なども有することは好適である。位置情報とは、ステーションの位置を示す情報である。位置情報は、例えば、緯度および経度で表現された座標であるが、その表現形式は問わない。位置情報は、例えば、ステーションの代表地点を示す情報（例えば、緯度と経度）、ステーションの領域を示す情報である。料金は車両に関わらず同じでも良い。かかる場合、通常、カーシェア情報が、料金情報を有する。
【００３５】
オーナー情報格納部１１２には、２以上のオーナー情報が格納される。オーナー情報とは、ステーションのオーナーに関する情報である。オーナーとは、ステーションを所有する人または組織である。オーナーとは、ステーションの土地のみを所有する人または組織であっても良いし、ステーションの土地と当該ステーションにおいて貸与する１以上の車両を所有する人または組織であっても良い。また、オーナーは、土地は所有せず、ステーションにおいて貸与する１以上の車両のみを所有する人または組織であっても良い。オーナー情報は、オーナー識別子と１以上のステーション識別子とを有する。オーナー識別子とは、オーナーを識別する情報である。オーナー識別子は、例えば、オーナーを識別するＩＤ、オーナー名などであるが、オーナーを識別できれば何でもよい。
【００３６】
オーナー情報は、例えば、第一分配情報を有することは好適である。第一分配情報とは、オーナーとパートナーとの間の分配に関する情報である。第一分配情報は、例えば、オーナーとパートナーとの間の分配の比率を有する。オーナーとパートナーとの間の分配の比率は、例えば、５：４、７：２などであってもよい。ただし、第一分配情報のデータ構造や比率等は問わない。なお、分配とは、収益の分配である。
【００３７】
パートナー情報格納部１１３には、２以上のパートナー情報が格納される。パートナー情報とは、パートナーに関する情報である。パートナーとは、１以上のステーションを管理する組織である。ステーションの管理とは、ステーションの土地と１以上の車両の管理である。パートナー情報は、１以上のオーナー識別子または１以上のステーション識別子と、パートナー識別子とを有する。パートナー識別子とは、パートナーを識別する情報である。パートナー識別子は、例えば、パートナーを識別するＩＤ、パートナー名などであるが、パートナーを識別できれば何でもよい。
【００３８】
パートナー情報は、例えば、第一分配情報または第二分配情報のうち１以上の分配情報を有することは好適である。パートナー情報は、通常、第二分配情報を有する。第二分配情報とは、パートナーと予約管理装置１の運営企業との間の分配に関する情報である。第二分配情報は、例えば、パートナーと運営企業との間の分配の比率を有する。パートナーと運営企業との間の分配の比率は、例えば、４：３、２：１などであってもよい。ただし、第二分配情報のデータ構造は問わない。
【００３９】
パートナー情報は、例えば、第一分配情報および第二分配情報を有することは、より好適である。かかるパートナー情報は、オーナーとパートナーと運営企業との間の分配の比率を示す。オーナーとパートナーと運営企業との間の分配の比率は、例えば、５：４：３、７：２：１などであってもよい。
【００４０】
画面情報格納部１１４には、画面情報が格納される。画面情報とは、画面を構成する情報である。ここでいう画面は、通常、ステーションにおける車両の予約を行う画面である。画面は、例えば、２以上の各パートナー識別子に対応するパートナーが管理する２以上のオーナーのステーションにおける車両の予約を行う画面であることは好適である。画面情報は、例えば、ＨＴＭＬ、ＸＭＬ、画像データとプログラム等である。ただし、画面情報の実現手段は問わない。
【００４１】
予約情報格納部１１５には、１以上の予約情報が格納される。予約情報とは、ステーションにおける車両の予約に関する情報である。予約情報は、ユーザ識別子を有する。また、予約情報は、ステーション識別子、または車両識別子、またはステーション識別子と車両識別子とを有する。ユーザ識別子とは、車両を予約するユーザを識別する情報である。ユーザとは、車両を予約する予約者である。ユーザ識別子は、例えば、ユーザを識別するＩＤ、クレジットカード番号などであるが、ユーザを識別し得る情報であれば何でもよい。車両識別子とは、ステーションにおける貸与対象の車両を識別する情報である。車両識別子は、例えば、車両のＩＤなどであるが、車両を識別し得る情報であれば何でもよい。
【００４２】
予約情報は、通常、時間帯情報も有する。時間帯情報とは、車両の貸与の時間帯に関する情報である。時間帯情報は、例えば、時間帯でもよいし、時間帯を示すＩＤ等でもよい。予約情報は、移動体の種類を示す情報（例えば、軽自動車、普通車、大型車等）をも有しても良い。
【００４３】
受付部１２は、各種の情報を受け付ける。各種の情報とは、例えば、パートナー登録情報、オーナー登録情報などである。パートナー登録情報とは、パートナーの登録に関する情報である。
【００４４】
パートナー登録情報は、通常、パートナー情報と、当該パートナー情報に対応する１以上のオーナー情報と、当該オーナー情報に対応する１以上のカーシェア情報とを有する。ただし、パートナー登録情報のデータ構造は問わない。受付部１２は、パートナー情報と１以上のオーナー情報と１以上のカーシェア情報とを、一度に受け付けることは好適である。かかることにより、パートナーの以前の運用が、そのまま引き継がれて予約管理装置１で運用されることになる。なお、以前の運用とは、パートナーと１以上のオーナーとの間の収益の分配の情報や契約の情報等である。
【００４５】
オーナー登録情報とは、オーナーの登録に関する情報である。オーナー登録情報は、通常、オーナー情報と、当該オーナー情報に対応する１以上のカーシェア情報とを有する。ただし、オーナー登録情報のデータ構造は問わない。
【００４６】
受け付けとは、例えば、キーボード等の入力デバイスから入力された情報の受け付け、ネットワーク等を介して送信された情報の受信、光ディスクや磁気ディスク、半導体メモリなどの記録媒体から読み出された情報の受け付けなどを含む概念である。受付部１２は、パートナー登録情報等を、通常、ネットワーク等を介して管理端末２から受信するが、例えば、キーボード等の入力デバイスを介して受け付けてもよいし、記録媒体から読み出しても構わない。
【００４７】
ただし、受付部１２は、パートナー情報、オーナー情報、およびカーシェア情報を、個別に受け付けてもよい。
【００４８】
受信部１３は、各種の情報を受信する。各種の情報とは、例えば、画面出力指示、貸与指示などである。また、受信部１３は、管理端末２から空台数情報を受信してもよい。空台数情報は、ステーション識別子と、空台数とを有する。
【００４９】
画面出力指示受信部１３１は、ユーザ端末３から画面出力指示を受信する。画面出力指示とは、画面情報格納部１１４に格納されている画面情報の出力の指示である。画面出力指示は、例えば、画面識別子を有する。画面識別子とは、画面情報を識別する情報である。画面識別子は、例えば、画面情報を識別するＩＤであるが、何でもよい。ただし、画面出力指示のデータ構造は問わない。
【００５０】
画面出力指示受信部１３１は、画面出力指示を、通常、ユーザ識別子と対に受信する。なお、対に受信または送信することは、画面出力指示がユーザ識別子を有する場合も含む。
【００５１】
貸与指示受信部１３２は、ユーザ端末３から貸与指示を受信する。貸与指示とは、ステーションにおける車両の貸与の申し出である。貸与指示は、ステーション識別子または車両識別子またはステーション識別子と車両識別子、および時間帯情報とを有する。ただし、貸与指示のデータ構造は問わない。
【００５２】
貸与指示受信部１３２は、貸与指示を、通常、ユーザ識別子と対に受信する。なお、対に受信または送信することは、受信される情報（例えば、貸与指示）が対となる情報（例えば、ユーザ識別子）を有する場合も含む。
【００５３】
処理部１４は、各種の処理を行う。各種の処理とは、例えば、パートナー登録部１４１、オーナー登録部１４２、予約情報構成部１４３、課金処理部１４４、および分配処理部１４５などの処理である。各種の処理には、フローチャートで説明する各種の判別なども含まれる。
【００５４】
パートナー登録部１４１は、受付部１２が受け付けたパートナー登録情報が有するパートナー情報をパートナー情報格納部１１３に蓄積する。また、パートナー登録部１４１は、受付部１２が受け付けたパートナー登録情報が有する１以上のオーナー情報をオーナー情報格納部１１２に蓄積する。さらに、パートナー登録部１４１は、受付部１２が受け付けたパートナー登録情報が有する１以上のカーシェア情報をカーシェア情報格納部１１１に蓄積する。パートナー登録部１４１は、受付部１２が受け付けたパートナー登録情報が有するパートナー情報と１以上のオーナー情報と１以上のカーシェア情報とを一緒に格納部１１に蓄積することは好適である。また、受付部１２が受け付けたパートナー登録情報と、蓄積されるパートナー情報と１以上のオーナー情報と１以上のカーシェア情報とは、データ構造が異なったり、各種の情報の識別子が異なっていたりしていても良い。つまり、受付部１２が受け付けたパートナー登録情報と、蓄積されるパートナー情報と１以上のオーナー情報と１以上のカーシェア情報とは、完全に同じでなくても良い。但し、受付部１２が受け付けたパートナー登録情報と、蓄積されるパートナー情報と１以上のオーナー情報と１以上のカーシェア情報とは、情報の実体（例えば、ステーションに関する情報、オーナーの氏名等）は、同じである。
【００５５】
ただし、パートナー登録部１４１は、受付部１２が受け付けたパートナー情報をパートナー情報格納部１１３に蓄積してもよい。また、パートナー登録部１４１は、受付部１２が受け付けたオーナー情報をオーナー情報格納部１１２に蓄積してもよい。さらに、パートナー登録部１４１は、受付部１２が受け付けたカーシェア情報をカーシェア情報格納部１１１に蓄積してもよい。
【００５６】
オーナー登録部１４２は、受付部１２が受け付けたオーナー登録情報が有するオーナー情報をオーナー情報格納部１１２に蓄積する。また、オーナー登録部１４２は、例えば、受付部１２が受け付けたオーナー登録情報が有する１以上のカーシェア情報をカーシェア情報格納部１１１に蓄積する。
【００５７】
ただし、オーナー登録部１４２は、受付部１２が受け付けたオーナー情報をオーナー情報格納部１１２に蓄積してもよい。またに、オーナー登録部１４２は、受付部１２が受け付けたカーシェア情報をカーシェア情報格納部１１１に蓄積してもよい。
【００５８】
予約情報構成部１４３は、貸与指示受信部１３２による貸与指示の受信に応じて、予約情報を構成し、予約情報格納部１１５に蓄積する。予約情報構成部１４３は、通常、受信された貸与指示が有するステーション識別子または車両識別子またはステーション識別子と車両識別子と、当該貸与指示と対に受信されたユーザ識別子とを有する予約情報を構成する。予約情報構成部１４３は、例えば、受信された貸与指示が有するステーション識別子または車両識別子またはステーション識別子と車両識別子と、当該貸与指示と対に受信されたユーザ識別子と、当該貸与指示が有する時間帯情報とを有する予約情報を構成することは好適である。
【００５９】
課金処理部１４４は、課金処理を行う。課金処理とは、車両の予約または車両の利用に対して、ユーザに課金するための処理である。課金処理部１４４は、予め決められた条件を満たした場合に、課金処理を行う。予め決められた条件とは、例えば、利用開始予定時刻前の閾値以内になったことでも良いし、利用開始予定時刻から予め決められた後の時刻になったことでも良いし実際に利用されたことを検知したことでもよい。また、課金処理とは、課金を行うために必要な処理であり、例えば、図示しない課金サーバへの課金のための情報の送信、課金に必要な情報の蓄積、クレジットカード番号を用いた課金処理等である。ここでの課金処理の内容は問わない。課金処理は公知技術で実現可能であるので、詳細な説明を省略する。
【００６０】
分配処理部１４５は、分配処理を行う。分配処理とは、課金処理により課金された金額を、オーナーとパートナーと予約管理装置１の運営企業との間で分配するための処理である。
【００６１】
なお、格納部１１で１以上の各ユーザごとにご紹介者が管理されている場合、分配処理部１４５は、当該ご紹介者に渡す収益を取得し、当該ご紹介者に分配するための処理を行っても良い。かかる場合、格納部１１で、１以上の各ユーザ識別子と紹介者識別子とが対で管理されている。そして、分配処理部１４５は、課金処理部１４４がユーザ識別子で識別されるユーザに課金するための処理を行った場合（または行う場合）、当該ユーザ識別子と対になる紹介者識別子で識別される紹介者に分配するための処理を行っても良い。なお、紹介者は、例えば、予約管理装置１の運営企業、オーナー、パートナー、または第三者である。また、第三者は問わない。
【００６２】
分配処理部１４５は、例えば、パートナー情報が有する分配情報を用いて、分配処理を行う。パートナー情報が有する分配情報とは、第一分配情報または第二分配情報のうち１以上の分配情報である。具合的には、例えば、パートナー情報が第一分配情報を有する場合、分配処理部１４５は、当該第一分配情報を用いて、オーナーとパートナーとの間の分配処理を行う。または、例えば、パートナー情報が第二分配情報を有する場合、分配処理部１４５は、当該第二分配情報を用いて、パートナーと予約管理装置１の運営企業との間の分配処理を行う。または、パートナー情報が第一分配情報および第二分配情報を有する場合、分配処理部１４５は、オーナーとパートナーとの間の分配処理と、パートナーと予約管理装置１の運営企業との間の分配処理とを行う。分配処理とは、２者または３者等の各主体（例えば、オーナー、パートナー、予約管理装置１の運営企業）の間の収益の分配を決定する処理である。分配処理とは、例えば、オーナー、パートナー、予約管理装置１の運営企業のうちの２者以上の主体の収益を算出する処理である。分配処理とは、例えば、オーナー、パートナー、予約管理装置１の運営企業のうちの２者以上の主体の収益を算出し、当該２者以上に収益を、銀行口座等に入金する処理である。分配処理とは、例えば、オーナー、パートナー、予約管理装置１の運営企業のうちの２者以上の主体への分配額の通知（例えば、メールやＦＡＸ等での自動通知）を行うこと等である。
【００６３】
また、分配処理部１４５は、オーナー情報が有する第一分配情報を用いて、オーナーとパートナーとの間の分配処理を行ってもよい。分配処理部１４５は、例えば、パートナー情報が第一分配情報を有さない場合に、オーナー情報が有する第一分配情報を用いて、オーナーとパートナーとの間の分配処理を行うことは好適である。
【００６４】
分配処理部１４５は、分配処理を、通常、所定の日時（例えば、月末の１２時、毎月１５日の１７時など）に実行するが、課金処理が完了したことに応じて実行してもよく、その実行のタイミングは問わない。
【００６５】
送信部１５は、各種の情報を送信する。各種の情報とは、例えば、予約情報、後述する画面情報などである。送信部１５は、例えば、ステーション識別子または車両識別子と端末識別子との対の集合である第一対応情報を保持しており、予約情報構成部１４３が構成した予約情報を、当該予約情報が有するステーション識別子または車両識別子に対応する端末識別子で識別される管理端末２に送信する。
【００６６】
なお、端末識別子とは、管理端末２やユーザ端末３などの端末を識別する情報である。端末識別子は、例えば、ＭＡＣアドレス、ＩＰアドレスなどであるが、端末を識別し得る情報であれば何でもよい。
【００６７】
また、送信部１５は、例えば、ユーザ識別子と端末識別子との対の集合である第二対応情報を保持しており、構成された予約情報を、当該予約情報が有するユーザ識別子に対応する端末識別子で識別されるユーザ端末３に送信することは好適である。
【００６８】
画面情報送信部１５１は、画面情報をユーザ端末３に送信する。画面情報送信部１５１は、例えば、第二対応情報を保持しており、通常、画面出力指示受信部１３１による画面出力指示の受信に応じて、画面情報格納部１１４に格納されている画面情報を、当該画面出力指示と対に受信されたユーザ識別子に対応する端末識別子で識別されるユーザ端末３に送信する。画面情報送信部１５１は、画面情報格納部１１４に格納されている画面情報を、例えば、カーシェア情報格納部１１１に格納されている２以上のカーシェア情報と対に送信してもよい。
【００６９】
なお、ユーザ識別子は、ユーザ端末３を識別する端末識別子であってもよく、その場合、第二対応情報は不要である。
【００７０】
管理端末２を構成する管理受付部２１は、各種の情報を受け付ける。各種の情報とは、例えば、パートナー登録情報などである。管理受付部２１は、パートナー登録情報を、通常、キーボード等の入力デバイスを介して受け付ける。
【００７１】
管理処理部２２は、各種の処理を行う。各種の処理とは、例えば、後述するフローチャートで説明する各種の判別、パートナー登録情報などの登録処理、予約情報の登録処理などである。なお、かかる処理は、公知の技術を用いて行うことができるので、詳細な説明は省略する。
【００７２】
管理出力部２３は、各種の情報を出力する。各種の情報とは、例えば、予約情報などである。一般に、出力とは、ディスプレイへの表示、スピーカーからの音出力、プリンタでの印字、外部の装置への送信、記録媒体への蓄積、他の処理装置や他のプログラムなどへの処理結果の引渡しなどを含む概念である。
【００７３】
管理出力部２３は、管理受信部２４が受信した予約情報、各種の登録情報等を、通常、ディスプレイやスピーカー等の出力デバイスを介して出力する。ただし、管理出力部２３は、予約情報を、例えば、プリンタで印字したり、外部の装置に送信したり、記録媒体に蓄積したり、他の処理装置や他のプログラムなどに引渡したりしてもよく、その出力態様は問わない。なお、各種の登録情報とは、カーシェア情報、オーナー情報、パートナー情報等である。
【００７４】
管理受信部２４は、各種の情報を受信する。各種の情報とは、例えば、予約情報、各種の登録情報などである。管理受信部２４は、例えば、ユーザ端末３からの貸与指示に応じて予約管理装置１で構成された予約情報を、予約管理装置１から受信することは好適である。
【００７５】
管理送信部２５は、各種の情報を送信する。各種の情報とは、例えば、パートナー登録情報などである。管理送信部２５は、管理受付部２１が受け付けたパートナー登録情報を、予約管理装置１に送信する。また、管理送信部２５は、管理処理部２２が構成した空台数情報を予約管理装置１に送信してもよい。
【００７６】
ユーザ端末３を構成するユーザ受付部３１は、各種の情報を受け付ける。各種の情報とは、例えば、画面出力指示、貸与指示などである。ユーザ受付部３１は、画面出力指示等を、通常、キーボード等の入力デバイスを介して受け付ける。
【００７７】
ユーザ処理部３２は、各種の処理を行う。各種の処理とは、例えば、後述するフローチャートで説明する各種の判別などである。
【００７８】
ユーザ送信部３３は、各種の情報を送信する。各種の情報とは、例えば、画面出力指示、貸与指示などである。ユーザ送信部３３は、ユーザ受付部３１が受け付けた画面出力指示等を、予約管理装置１に送信する。ユーザ送信部３３は、画面出力指示等を、通常、ユーザ識別子と対に、予約管理装置１に送信する。
【００７９】
ユーザ受信部３４は、各種の情報を受信する。各種の情報とは、例えば、画面情報、予約情報などである。ユーザ受信部３４は、ユーザ送信部３３が画面出力指示を送信したことに応じて、予約管理装置１から画面情報を受信する。ユーザ受信部３４は、画面情報を、２以上のカーシェア情報と対に受信してもよい。また、ユーザ受信部３４は、ユーザ送信部３３が貸与指示を送信したことに応じて、予約管理装置１から予約情報を受信することは好適である。
【００８０】
ユーザ出力部３５は、各種の情報を出力する。各種の情報とは、例えば、画面情報、予約情報などである。ユーザ出力部３５は、ユーザ受信部３４が受信した画面情報等を、通常、ディスプレイ等の出力デバイスを介して出力する。ユーザ出力部３５は、画面情報を、当該画面情報と対に受信された２以上のカーシェア情報に基づく２以上のステーションマークと共に、出力してもよい。なお、画面情報の出力とは、画面の出力と同意義である。
【００８１】
格納部１１、カーシェア情報格納部１１１、オーナー情報格納部１１２、パートナー情報格納部１１３、画面情報格納部１１４、および予約情報格納部１１５は、例えば、ハードディスクやフラッシュメモリといった不揮発性の記録媒体が好適であるが、ＲＡＭなど揮発性の記録媒体でも実現可能である。
【００８２】
格納部１１等に情報が記憶される過程は問わない。例えば、記録媒体を介して情報が格納部１１等で記憶されるようになってもよく、ネットワークや通信回線等を介して送信された情報が格納部１１等で記憶されるようになってもよく、あるいは、入力デバイスを介して入力された情報が格納部１１等で記憶されるようになってもよい。入力デバイスは、例えば、キーボード、マウス、タッチパネル等、何でもよい。
【００８３】
受付部１２、管理受付部２１、およびユーザ受付部３１は、入力デバイスを含むと考えても、含まないと考えてもよい。受付部１２等は、入力デバイスのドライバーソフトによって、または入力デバイスとそのドライバーソフトとで実現され得る。
【００８４】
受信部１３、画面出力指示受信部１３１、貸与指示受信部１３２、管理受信部２４、およびユーザ受信部３４は、通常、有線または無線の通信手段（例えば、ネットワークカードやモデム等の通信モジュール）で実現されるが、放送を受信する手段（例えば、放送受信モジュール）で実現されてもよい。
【００８５】
処理部１４、パートナー登録部１４１、オーナー登録部１４２、予約情報構成部１４３、課金処理部１４４、分配処理部１４５、ユーザ処理部３２、および管理処理部２２は、通常、ＭＰＵやメモリ等から実現され得る。処理部１４等の処理手順は、通常、ソフトウェアで実現され、当該ソフトウェアはＲＯＭ等の記録媒体に記録されている。ただし、処理手順は、ハードウェア（専用回路）で実現してもよい。
【００８６】
送信部１５、画面情報送信部１５１、管理送信部２５、およびユーザ送信部３３は、
通常、有線または無線の通信手段で実現されるが、放送手段（例えば、放送モジュール）で実現されてもよい。
【００８７】
管理出力部２３、およびユーザ出力部３５は、ディスプレイやスピーカー等の出力デバイスを含むと考えても含まないと考えてもよい。管理出力部２３等は、出力デバイスのドライバーソフトによって、または出力デバイスとそのドライバーソフトとで実現され得る。
【００８８】
次に、本予約管理システムの動作について、図２〜図４のフローチャートを用いて説明する。なお、既出の事項に関する説明は、省略または簡略化している。
【００８９】
図２は、予約管理装置１の動作を説明するフローチャートである。
【００９０】
（ステップＳ２０１）処理部１４は、画面出力指示受信部１３１が画面出力指示を受信したか否かを判別する。画面出力指示受信部１３１が画面出力指示を受信した場合はステップＳ２０２に進み、受信していない場合はステップＳ２０３に進む。
【００９１】
（ステップＳ２０２）画面情報送信部１５１は、画面情報格納部１１４に格納されている画面情報を、当該画面出力指示の送信元であるユーザ端末３に送信する。その後、ステップＳ２０１に戻る。
【００９２】
（ステップＳ２０３）処理部１４は、貸与指示受信部１３２が貸与指示を受信したか否かを判別する。貸与指示受信部１３２が貸与指示を受信した場合はステップＳ２０４に進み、受信していない場合はステップＳ２０６に進む。
【００９３】
（ステップＳ２０４）予約情報構成部１４３は、受信された貸与指示が有するステーション識別子または車両識別子またはステーション識別子と車両識別子、および当該貸与指示と対に受信されたユーザ識別子などを有する予約情報を構成し、予約情報格納部１１５に蓄積する。
【００９４】
（ステップＳ２０５）送信部１５は、保持している第一対応情報を用いて、予約情報構成部１４３が構成した予約情報を、当該予約情報が有するステーション識別子または車両識別子に対応する管理端末２に送信する。また、送信部１５は、保持している第二対応情報を用いて、構成された予約情報を、当該予約情報が有するユーザ識別子に対応するユーザ端末３にも送信する。その後、ステップＳ２０１に戻る。
【００９５】
（ステップＳ２０６）処理部１４は、受付部１２がパートナー登録情報等を受け付けたか否かを判別する。受付部１２がパートナー登録情報等を受け付けた場合はステップＳ２０７に進み、受け付けていない場合はステップＳ２１０に進む。なお、受付部１２による受け付けは、通常、管理端末２からの受信であるが、例えば、入力デバイスを介した受け付けや、記録媒体からの読み出しなども含む。
【００９６】
（ステップＳ２０７）パートナー登録部１４１は、受付部１２が受け付けたパートナー登録情報が有するパートナー情報をパートナー情報格納部１１３に蓄積する。
【００９７】
（ステップＳ２０８）パートナー登録部１４１は、受付部１２が受け付けたパートナー登録情報が有する１以上のオーナー情報をオーナー情報格納部１１２に蓄積する。
【００９８】
（ステップＳ２０９）パートナー登録部１４１は、受付部１２が受け付けたパートナー登録情報が有する１以上のカーシェア情報をカーシェア情報格納部１１１に蓄積する。その後、ステップＳ２０１に戻る。
【００９９】
（ステップＳ２１０）処理部１４は、受付部１２がオーナー登録情報を受け付けたか否かを判別する。受付部１２がオーナー登録情報を受け付けた場合はステップＳ２１１に進み、受け付けていない場合はステップＳ２１３に進む。
【０１００】
（ステップＳ２１１）オーナー登録部１４２は、受付部１２が受け付けたオーナー登録情報が有するオーナー情報をオーナー情報格納部１１２に蓄積する。
【０１０１】
（ステップＳ２１２）オーナー登録部１４２は、受付部１２が受け付けたオーナー登録情報が有する１以上のカーシェア情報をカーシェア情報格納部１１１に蓄積する。その後、ステップＳ２０１に戻る。
【０１０２】
（ステップＳ２１３）処理部１４は、課金するか否かを判断する。課金する場合はステップＳ２１４に進み、課金しない場合はステップＳ２１５に進む。なお、処理部１４は、例えば、利用開始予定時刻前の閾値以内になったこと、利用開始予定時刻から予め決められた後の時刻になったこと、実際に利用されたこと等の、課金の実行に関する予め決められた条件を保持しており、当該条件を満たす場合、課金すると判断する。
【０１０３】
（ステップＳ２１４）課金処理部１４４は、課金処理を実行する。なお、課金処理については、前述したので繰り返さない。その後、ステップＳ２０１に戻る。
【０１０４】
（ステップＳ２１５）処理部１４は、分配するか否かを判断する。分配する場合はステップＳ２１６に進み、分配しない場合はステップＳ２０１に戻る。なお、処理部１４は、例えば、所定の日時になったこと、課金処理が完了したこと等の、分配の実行に関する予め決められた条件を保持しており、当該条件を満たす場合、分配すると判断する。
【０１０５】
（ステップＳ２１６）分配処理部１４５は、分配処理を実行する。なお、分配処理については、前述したので繰り返さない。その後、ステップＳ２０１に戻る。
【０１０６】
なお、図２のフローチャートにおいて、予約管理装置１の電源オンやプログラムの起動に応じて処理が開始し、電源オフや処理終了の割り込みにより処理は終了する。ただし、処理の開始または終了のトリガは問わない。
【０１０７】
図３は、管理端末２の動作を説明するフローチャートである。
【０１０８】
（ステップＳ３０１）管理処理部２２は、管理受信部２４が予約情報を受信したか否かを判別する。管理受信部２４が予約情報を受信した場合はステップＳ３０２に進み、受信していない場合はステップＳ３０３に進む。
【０１０９】
（ステップＳ３０２）管理出力部２３は、管理受信部２４が受信した予約情報を、ディスプレイ等の出力デバイスを介して出力する。その後、ステップＳ３０１に戻る。なお、管理端末２のユーザである管理者の指示を受け付けたことに応じて、管理出力部２３は、蓄積されている予約情報を出力しても良い。
【０１１０】
（ステップＳ３０３）管理処理部２２は、管理受付部２１がパートナー登録情報を受け付けたか否かを判別する。管理受付部２１がパートナー登録情報を受け付けた場合はステップＳ３０４に進み、受け付けていない場合はステップＳ３０５に進む。
【０１１１】
（ステップＳ３０４）管理送信部２５は、管理受付部２１が受け付けたパートナー登録情報を、予約管理装置１に送信する。その後、ステップＳ３０１に戻る。
【０１１２】
（ステップＳ３０５）管理処理部２２は、管理受付部２１がオーナー登録情報を受け付けたか否かを判別する。管理受付部２１がオーナー登録情報を受け付けた場合はステップＳ３０６に進み、受け付けていない場合はステップＳ３０１に戻る。
【０１１３】
（ステップＳ３０６）管理送信部２５は、管理受付部２１が受け付けたオーナー登録情報を予約管理装置１に送信する。その後、ステップＳ３０１に戻る。
【０１１４】
なお、図３のフローチャートにおいて、管理端末２の電源オンやプログラムの起動に応じて処理が開始し、電源オフや処理終了の割り込みにより処理は終了する。ただし、処理の開始または終了のトリガは問わない。
【０１１５】
図４は、ユーザ端末３の動作を説明するフローチャートである。
【０１１６】
（ステップＳ４０１）ユーザ処理部３２は、ユーザ受付部３１が画面出力指示を受け付けたか否かを判別する。ユーザ受付部３１が画面出力指示を受け付けた場合はステップＳ４０２に進み、受け付けていない場合はステップＳ４０１に戻る。
【０１１７】
（ステップＳ４０２）ユーザ送信部３３は、ユーザ受付部３１が受け付けた画面出力指示を予約管理装置１に送信する。
【０１１８】
（ステップＳ４０３）ユーザ処理部３２は、ユーザ受信部３４が画面情報を受信したか否かを判別する。ユーザ受信部３４が画面情報を受信した場合はステップＳ４０４に進み、受信していない場合はステップＳ４０３に戻る。
【０１１９】
（ステップＳ４０４）ユーザ出力部３５は、ユーザ受信部３４が受信した画面情報を、ディスプレイ等の出力デバイスを介して出力する。
【０１２０】
（ステップＳ４０５）ユーザ処理部３２は、ユーザ受付部３１が貸与指示を受け付けたか否かを判別する。ユーザ受付部３１が貸与指示を受け付けた場合はステップＳ４０６に進み、受け付けていない場合はステップＳ４０５に戻る。
【０１２１】
（ステップＳ４０６）ユーザ送信部３３は、ユーザ受付部３１が受け付けた貸与指示を予約管理装置１に送信する。
【０１２２】
（ステップＳ４０７）ユーザ処理部３２は、ユーザ受信部３４が予約情報を受信したか否かを判別する。ユーザ受信部３４が予約情報を受信した場合はステップＳ４０８に進み、受信していない場合はステップＳ４０７に戻る。
【０１２３】
（ステップＳ４０８）ユーザ出力部３５は、ユーザ受信部３４が受信した予約情報を、ディスプレイ等の出力デバイスを介して出力する。その後、ステップＳ４０１に戻る。
【０１２４】
なお、図４のフローチャートにおいて、ユーザ端末３の電源オンやプログラムの起動に応じて処理が開始し、電源オフや処理終了の割り込みにより処理は終了する。ただし、処理の開始または終了のトリガは問わない。
【０１２５】
以下、本実施の形態における本予約管理システムの具体的な動作例について説明する。なお、以下の説明は、種々の変更が可能であり、本発明を何ら限定するものではない。また、既出の事項に関する説明は、省略または簡略化している。
【０１２６】
（具体例１）
【０１２７】
予約管理装置１のカーシェア情報格納部１１１には、図５に示すような５以上のカーシェア情報が格納されている。図５は、具体例１におけるカーシェア情報のデータ構造図である。カーシェア情報は、ステーション識別子、位置情報、および車両情報などを有する。また、車両情報は、車両識別子、車種、乗車可能人数、色、料金情報、画像などを有する。画像は、車両の画像であり、図５は画像のファイル名であるが、その実体（ファイル）は、格納部１１に格納されている、とする。
【０１２８】
格納されている５以上の各カーシェア情報は、ＩＤ（本例では、１，２，・・・）に対応付いている。例えば、ＩＤ"１"に対応付いたカーシェア情報（以下、カーシェア情報１と記す場合がある）は、ステーション識別子"ＡＡ１"、位置情報"（ｘ１、ｙ１）"、および車両情報などを有する。なお、車両情報が有する料金情報"１３０円／１０分"は、１０分ごとに１３０円を有することを示す。
【０１２９】
また、ＩＤ"２"に対応付いたカーシェア情報（カーシェア情報２）は、ステーション識別子"ＡＡ２"、位置情報"（ｘ２、ｙ２）"、および車両情報などを有する。なお、この車両情報が有する料金情報"初期費用１０００円、１００円／１５分"は、初期費用として１０００円かかり、かつ１５分ごとに１００円がかかることを示す。
【０１３０】
また、ＩＤ"１"に対応付いたカーシェア情報が有する料金情報"５０円／１０分＋１００円／１０ｋｍ"は、１０分ごとに５０円かかり、かつ１０ｋｍ走行するごとに１００円かかることを示す。
【０１３１】
オーナー情報格納部１１２には、図６に示すような４以上のオーナー情報が格納されている。図６は、具体例１におけるオーナー情報のデータ構造図である。オーナー情報は、オーナー識別子、１以上のステーション識別子、および第一分配情報などを有する。
【０１３２】
格納されている４以上の各オーナー情報は、ＩＤ（本例では、１，２，…）に対応付いている。例えば、ＩＤ"１"に対応付いたオーナー情報（以下、オーナー情報１と記す場合がある）は、オーナー識別子"ＡＡ"、１以上のステーション識別子"ＡＡ１"，"ＡＡ２"、および第一分配情報"５：４"などを有する。また、ＩＤ"２"に対応付いたオーナー情報（オーナー情報２）は、オーナー識別子"ＢＢ"、１以上のステーション識別子"ＢＢ１"、および第一分配情報"７：２"などを有する。
【０１３３】
パートナー情報格納部１１３には、図７に示すような２以上のパートナー情報が格納されている。図７は、具体例１におけるパートナー情報のデータ構造図である。パートナー情報は、パートナー識別子、１以上のオーナー識別子、および第二分配情報などを有する。
【０１３４】
格納されている２以上の各パートナー情報は、ＩＤ（本例では、１，２，…）に対応付いている。例えば、ＩＤ"１"に対応付いたパートナー情報（以下、パートナー情報１と記す場合がある）は、パートナー識別子"Ｐ１"、１以上のオーナー識別子"ＡＡ"，"ＢＢ"、および第二分配情報"４：３"などを有する。また、ＩＤ"２"に対応付いたパートナー情報（パートナー情報２）は、パートナー識別子"Ｐ２"、１以上のオーナー識別子"ＣＣ"，"ＤＤ"、および第二分配情報"２：１"などを有する。
【０１３５】
画面情報格納部１１４には、図示しない画面情報が格納されている。この画面情報は、パートナー情報格納部１１３に格納されている２以上のパートナー識別子に対応する２以上のパートナーが管理する２以上のステーションの予約を行う画面を構成するための情報である。画面情報は、例えば、ＨＴＭＬなどであるが、そのデータ形式は問わない。
【０１３６】
予約情報格納部１１５には、図示しない１以上の予約情報が格納される。予約情報は、ユーザ識別子、ステーション識別子、車両識別子、および時間帯情報などを有する。
【０１３７】
予約情報格納部１１５に格納されている２以上の各予約情報は、ＩＤ（本例では、１，２，…）に対応付いている。例えば、ＩＤ"１"に対応付いた予約情報（以下、予約情報１と記す場合がある）は、ユーザ識別子"ａａ"、ステーション識別子"ＡＡ１"、車両識別子"００２"、および時間帯情報"２０１７／５／５  １２：００−１８：００"などを有する。また、ＩＤ"２"に対応付いた予約情報（予約情報２）は、ユーザ識別子"ｂｂ"、ステーション識別子"ＢＢ１"、車両識別子"００１"、および時間帯情報"本日の１５時から２時間"などを有する。
【０１３８】
いま、ユーザが、ユーザ端末３の入力デバイスを介して画面出力指示を入力したとする。
【０１３９】
ユーザ端末３において、ユーザ受付部３１が上記画面出力指示を受け付け、ユーザ送信部３３は、受け付けられた画面出力指示を予約管理装置１に送信する。
【０１４０】
予約管理装置１において、画面出力指示受信部１３１が上記画面出力指示を受信し、画面情報送信部１５１は、画面情報格納部１１４に格納されている画面情報を、カーシェア情報格納部１１１に格納されている２以上のカーシェア情報と対に、当該画面出力指示の送信元であるユーザ端末３に送信する。
【０１４１】
ユーザ端末３において、ユーザ受信部３４が上記画面情報を２以上のカーシェア情報と対に受信し、ユーザ出力部３５は、受信された画面情報を、２以上のカーシェア情報に基づく２以上のステーションマークと共に、ディスプレイ等の出力デバイスを介して出力する。これによって、例えば、ユーザ端末３のディスプレイに、図８に示すような画面が表示される。この画面は、地図、および当該地図上に配置された２以上のステーションマークなどを有する。なお、ステーションマークとは、ステーションを示す図柄である。
【０１４２】
ユーザ出力部３５は、２以上のステーションマークを、地図上の、位置情報に応じた位置に配置する。ユーザ出力部３５は、２以上のステーションマークに、ステーション識別子を対応付けて出力することは好適である。
【０１４３】
また、ユーザ出力部３５は、２以上のステーションマークを、現在、予約可能な車両の数（かかる数を「空台数」と言う。）に応じて異なる態様で表示することは好適である。ユーザ出力部３５は、例えば、空台数が０台であるステーションのステーションマークをグレーアウトしてもよい。また、ユーザ出力部３５は、空台数が１台以上であるステーションのステーションマークに、その空台数を示す数字を対応付けてもよい。なお、処理部１４が、予約情報格納部１１５の予約情報を検査し、各ステーションのステーション識別子と対になる各車両識別子と対になる時間帯情報と現在時刻とを対比し、現在、ステーションごとに、使用されていない車両を検知し、その車両の数を取得する。なお、かかる場合、処理部１４は、例えば、現在時刻を図示しない時計やＮＴＰサーバ等から取得する、とする。
【０１４４】
ユーザは、上記画面を参照して、２以上のステーションマークのいずれかを指定し、かつ図示しない画面により、借りたい車両の画像または車両の情報を指定し、時間帯情報を入力することにより、例えば、ステーションＡＡ１の車両００１の貸与を申し出る貸与指示を入力したとする。この指示は、ステーション識別子"ＡＡ１"、車両識別子"００１"、時間帯情報"２０１７／５／６  １０：００−１９：００"を有する、とする。
【０１４５】
ユーザ端末３において、ユーザ受付部３１が上記貸与指示を受け付け、ユーザ送信部３３は、受け付けられた貸与指示を予約管理装置１に送信する。
【０１４６】
予約管理装置１において、貸与指示受信部１３２が上記貸与指示を受信し、予約情報構成部１４３は、受信された貸与指示が有するステーション識別子"ＡＡ１"、車両識別子"００１"、時間帯情報"２０１７／５／６  １０：００−１９：００および当該貸与指示と対に受信されたユーザ識別子"ａａ"などを有する予約情報を構成し、構成した予約情報を予約情報格納部１１５に蓄積する。
【０１４７】
送信部１５は、保持している第一対応情報を用いて、上記予約情報を、当該予約情報が有するステーション識別子"ＡＡ１"に対応する管理端末２に送信する。また、送信部１５は、保持している第二対応情報を用いて、上記予約情報を、当該予約情報が有するユーザ識別子"ａａ"に対応するユーザ端末３にも送信する。
【０１４８】
管理端末２において、管理受信部２４が上記予約情報を受信し、管理出力部２３は、受信された予約情報を、ディスプレイ等の出力デバイスを介して出力する。これによって、例えば、管理端末２のディスプレイに、当該予約情報に対応するテキスト"ユーザａａさんから、ステーションＡＡ１、車両００１、時間帯「１０：００−１９：００」の予約を受け付けました"が表示される。
【０１４９】
また、ユーザ端末３において、ユーザ受信部３４が予約情報を上記受信し、ユーザ出力部３５は、受信された予約情報を、ディスプレイ等の出力デバイスを介して出力する。これによって、例えば、ユーザ端末３のディスプレイに、当該予約情報に対応するテキスト"ステーションＡＡ１、車両００１、時間帯「１０：００−１９：００」の予約を受け付けました"が表示される。なお、管理端末２のディスプレイに表示されるテキストと、管理端末２のディスプレイに表示される情報とは、同じでもよいし、異なっていてもよい。また、表示される情報は、テキストだけでも良いし、車両の画像等を含んでいても良い。
【０１５０】
また、管理者が、管理端末２の入力デバイスを介して新たなパートナー登録情報を入力したとする。受け付けられたパートナー登録情報は、２つのオーナー識別子"ＥＥ"，"ＦＦ"、３つのステーション識別子"ＥＥ１"，"ＥＥ２"，"ＦＦ１"、パートナー識別子"Ｐ３"、２つの第一分配情報"５：４"，"５：４"、および第二分配情報"２：１"などを有する。
【０１５１】
管理端末２において、管理受付部２１が上記パートナー登録情報を受け付け、管理送信部２５は、受け付けられたパートナー登録情報を予約管理装置１に送信する。
【０１５２】
なお、管理受付部２１がオーナー登録情報を受け付けた場合、管理送信部２５は、当該オーナー登録情報を予約管理装置１に送信する。
【０１５３】
予約管理装置１において、受付部１２が、管理端末２において受け付けられた上記パートナー登録情報等を受信し、パートナー登録部１４１は、受け付けられたパートナー登録情報が有するパートナー情報を、例えばＩＤ"３"に対応付けてパートナー情報格納部１１３に蓄積する。受け付けられたパートナー登録情報が有するパートナー情報とは、パートナー識別子"Ｐ３"、２つのオーナー識別子"ＥＥ"，"ＦＦ"、第二分配情報"２：１"などを含む情報である。これによって、パートナー情報格納部１１３には、新たなパートナー情報３が格納される結果となる。
【０１５４】
また、パートナー登録部１４１は、当該パートナー登録情報が有する２つのオーナー情報を、例えばＩＤ"５"，"６"に対応付けてオーナー情報格納部１１２に蓄積する。当該パートナー登録情報が有する２つのオーナー情報とは、オーナー識別子"ＥＥ"、２つのステーション識別子"ＥＥ１"，"ＥＥ２"、および第一分配情報"５：４"を含む情報と、オーナー識別子"ＦＦ"、ステーション識別子"ＦＦ１"、および第一分配情報"５：４"を含む情報との、２つの情報である。これによって、オーナー情報格納部１１２には、新たな２つのオーナー情報５および６が格納される結果となる。
【０１５５】
さらに、パートナー登録部１４１は、当該パートナー登録情報が有する３つのカーシェア情報を、例えばＩＤ"６"，"７"，"８"に対応付けてカーシェア情報格納部１１１に蓄積する。これによって、カーシェア情報格納部１１１には、新たな３つのカーシェア情報６〜８が格納される結果となる。
【０１５６】
なお、受付部１２が、管理端末２において受け付けられたオーナー登録情報等を受信した場合、オーナー登録部１４２は、当該オーナー登録情報が有するオーナー情報をオーナー情報格納部１１２に蓄積し、また、当該オーナー登録情報が有する１以上のカーシェア情報をカーシェア情報格納部１１１に蓄積する。
【０１５７】
例えば、上記のような予約に従い、ユーザａａがステーションＡＡ１、車両００１を利用すると、課金処理部１４４は、課金処理を実行する。詳しくは、課金処理部１４４は、例えば、ステーションＡＡ１、車両００１と対になる料金情報「１３０円／１０分」を、図５のカーシェア情報管理表から取得する。また、対応する予約情報から時間帯情報「１０：００−１９：００」を取得する。そして、課金処理部１４４は、取得した料金情報と時間帯情報とを用いて、「課金額＝１３０円×９時間×６＝７０２０円」を算出する。そして、課金処理部１４４は、例えば、課「金額７０２０円」を、予めユーザａａが登録したクレジットカード番号を用いて、決済してもよい。なお、ユーザａａが登録したクレジットカード番号は、ユーザ識別子"ａａ"と対にして、格納部１１に格納されている、とする。
【０１５８】
また、例えば、所定の日時（本例では、月末）になると、分配処理部１４５は、第一分配情報、第二分配情報を用いて、分配処理を実行する。例えば、オーナーＡＡが所有する２つのステーションＡＡ１およびＡＡ２での当月の売り上げが１２万円であり、オーナーとパートナーＰ１と運営企業との間の分配比率が５:４:３である場合、分配処理部１４５は、売り上げ"１２万円"のうち、１２分の５相当の"５万円"をオーナーに分配し、１２分の４相当の"４万円"をパートナーＰ１に分配し、１２分の３相当の"３万円"を運営企業に分配することを決定する。そして、分配処理部１４５は、各主体に対して、銀行口座への入力処理を実行する。
【０１５９】
図９は、本予約管理システムを用いて実現されるプラットフォームの概念図である。このプラットフォームは、第一階層"運営企業"、第二階層"パートナー"、および第三階層"オーナー"の三階層によって管理される。第一階層"運営企業"に属する企業は、本予約管理システムの運営主体である。第三階層"オーナー"には、２つのステーションＡＡ１およびＡＡ２を所有するオーナーＡＡと、ステーションＢＢ１を所有するオーナーＢＢと、ステーションＣＣ１を所有するオーナーＣＣと、ステーションＤＤ１を所有するオーナーＤＤとの４オーナーが属している。第二階層"パートナー"には、オーナーＡＡおよびオーナーＢＢを統括するパートナーＰ１と、オーナーＣＣおよびオーナーＤＤを統括するパートナーＰ２との２パートナーが属している。
【０１６０】
パートナーＰ１およびＰ２は、それぞれ独自の予約システムを運営しながら、本予約管理システムに管理者として参加できる。また、現在は、独立して別の予約システムを運営しているパートナーＰ３が、後に、本予約管理システムに参加することも可能である。
【０１６１】
ユーザは、本予約管理システムを利用することで、どのパートナーに属するステーションでも、シームレスに予約することができる。ただし、パートナー独自の予約システムも機能しているので、ユーザには、各パートナー独自の予約システムを通じて所望のステーションを予約する選択肢もある。
【０１６２】
オーナーは、本例では、いずれかのパートナーの配下にあるが、どのパートナーにも属さない独立したオーナーも、本予約管理システムに管理者として容易に参加可能である。
【０１６３】
（具体例２）
【０１６４】
具体例１との相違は、パートナー情報およびオーナー情報のデータ構造のみである。
【０１６５】
オーナー情報格納部１１２には、図１０に示すような４以上のオーナー情報が格納されている。図１０は、具体例２におけるオーナー情報のデータ構造図である。オーナー情報は、オーナー識別子、１以上のステーション識別子、および第一分配情報などを有する。
【０１６６】
格納されている４以上の各オーナー情報は、ＩＤ（１，２，…）に対応付いている。例えば、ＩＤ"１"に対応付いたオーナー情報（オーナー情報１）は、オーナー識別子"ＡＡ"、および１以上のステーション識別子"ＡＡ１"，"ＡＡ２"などを有する。また、ＩＤ"２"に対応付いたオーナー情報（オーナー情報２）は、オーナー識別子"ＢＢ"、および１以上のステーション識別子"ＢＢ１"などを有する。
【０１６７】
パートナー情報格納部１１３には、図１１に示すような２以上のパートナー情報が格納されている。図１１は、具体例２におけるパートナー情報のデータ構造図である。パートナー情報は、パートナー識別子、１以上のステーション識別子、第一分配情報、および第二分配情報などを有する。
【０１６８】
格納されている２以上の各パートナー情報は、ＩＤ（１，２，…）に対応付いている。例えば、ＩＤ"１"に対応付いたパートナー情報（パートナー情報１）は、パートナー識別子"Ｐ１"、２つのオーナー識別子"ＡＡ"， "ＢＢ"、２つの第一分配情報"５：４"，"７：２"、および第二分配情報"４：３"などを有する。なお、上記２つの第一分配情報のうち、前者の第一分配情報"５：４"は、オーナー識別子"ＡＡ"に対応付き、後者の第一分配情報"７：２"は、オーナー識別子"ＢＢ"に対応付いている。
【０１６９】
また、ＩＤ"２"に対応付いたパートナー情報（パートナー情報２）は、パートナー識別子"Ｐ２"、２つのオーナー識別子"ＣＣ"，"ＤＤ"２つの第一分配情報"５：４"，"５：４"、および第二分配情報"２：１"などを有する。
【０１７０】
すなわち、前述の具体例１では、パートナー情報とオーナー情報とがステーション識別子を介して関連付けられていたが、この具体例２では、両者は、直接的に対応付けられている。両者の組み合わせが有する情報の内容は、具体例１と具体例２とで同じであるから、具体例２における予約管理システムの動作は、基本的に具体例１と同様である。
【０１７１】
なお、具体例１のプラットフォームでは、どのパートナーにも属さないオーナーも管理者として容易に参加可能であったが、具体例２のプラットフォームでは、第一および第二の分配情報の両方がオーナー情報に含まれることから、かかるオーナーは、通常、パートナーを介して参加することになる。
【０１７２】
以上、本実施の形態によれば、カーシェアリングの複数のステーションのオーナーが提供し、複数の管理組織であるパートナーにより管理される複数のステーションをシームレスに予約できるプラットフォームを提供できる。
【０１７３】
また、予約管理装置１は、ステーションの予約またはステーションの利用に対して、ユーザに課金するための課金処理を行い、課金処理により課金された金額を、オーナーとパートナーと予約管理装置１の運営企業との間で分配するための分配処理を行うことにより、上記プラットフォームにおいて、課金した金額を適切に分配できる。
【０１７４】
また、予約管理装置１は、予め決められた条件を満たした場合に、課金処理を行うことにより、上記プラットフォームにおいて、適切に課金できる。
【０１７５】
また、パートナー情報は、オーナーとパートナーとの間の分配に関する分配情報、パートナーと予約管理装置１の運営企業との間の分配に関する分配情報のうちに１以上の分配情報を有し、予約管理装置１は、パートナー情報が有する分配情報を用いて、分配処理を行うことにより、パートナー毎の分配条件に従った、金額の分配ができる。
【０１７６】
また、オーナー情報は、オーナーとパートナーとの間の分配に関する分配情報を有し、予約管理装置１は、オーナー情報が有する分配情報を用いて、分配処理を行うことにより、オーナー毎の分配条件に従った、金額の分配ができる。
【０１７７】
また、予約管理装置１は、パートナー情報と、パートナー情報に対応する１以上のオーナー情報と，オーナー情報に対応する１以上のカーシェア情報を有するパートナー登録情報を受け付け、パートナー登録情報が有するパートナー情報をパートナー情報格納部１１３に蓄積し、パートナー登録情報が有する１以上のオーナー情報をオーナー情報格納部１１２に蓄積し、パートナー登録情報が有する１以上のカーシェア情報をカーシェア情報格納部１１１に蓄積することにより、パートナー情報等の登録ができる。
【０１７８】
さらに、本実施の形態における処理は、ソフトウェアで実現してもよい。そして、このソフトウェアをソフトウェアダウンロード等により配布してもよい。また、このソフトウェアをＣＤ−ＲＯＭなどの記録媒体に記録して流布してもよい。なお、このことは、本明細書における他の実施の形態においても該当する。なお、本実施の形態における情報処理装置を実現するソフトウェアは、以下のようなプログラムである。
【０１７９】
つまり、コンピュータがアクセス可能な記録媒体は、カーシェアリングサービスに関する情報であり、車両を借り受ける車両借受け先のステーションを識別するステーション識別子を有する２以上のカーシェア情報が格納されるカーシェア情報格納部と、ステーションのオーナーに関する情報であり、オーナーを識別するオーナー識別子と１以上のステーション識別子とを有する２以上のオーナー情報が格納されるオーナー情報格納部と、１以上のステーションを管理する組織であるパートナーに関する情報であり、１以上のオーナー識別子または１以上のステーション識別子と、パートナーを識別するパートナー識別子とを有する２以上のパートナー情報が格納されるパートナー情報格納部と、車両の予約に関する情報であり、車両を予約するユーザを識別するユーザ識別子と、ステーション識別子または車両を識別する車両識別子とを有する１以上の予約情報が格納される予約情報格納部と、２以上のパートナー識別子に対応する２以上のパートナーが管理する２以上のステーションの車両の予約を行う画面を構成する画面情報が格納される画面情報格納部とを具備し、前記コンピュータを、画面情報の出力の指示である画面出力指示を、ユーザ端末から受信する画面出力指示受信部と、前記画面出力指示の受信に応じて、前記画面情報を前記ユーザ端末に送信する画面情報送信部と、車両の貸与の申し出であり、ステーション識別子またはステーション内の一車両を識別する車両識別子と、車両の貸与の時間帯に関する時間帯情報とを有する申し出である貸与指示を、ユーザ端末から受信する貸与指示受信部と、前記貸与指示の受信に応じて、予約情報を構成し、前記予約情報格納部に蓄積する予約情報構成部として機能させるためのプログラムである。
【０１８０】
図１２は、本実施の形態におけるプログラムを実行して、予約管理装置１、管理端末２、またはユーザ端末３を実現するコンピュータシステム９００の外観図である。本実施の形態は、コンピュータハードウェアおよびその上で実行されるコンピュータプログラムによって実現され得る。図１２において、コンピュータシステム９００は、ディスクドライブ９０５を含むコンピュータ９０１と、キーボード９０２と、マウス９０３と、ディスプレイ９０４とを備える。なお、キーボード９０２やマウス９０３やディスプレイ９０４をも含むシステム全体をコンピュータと呼んでもよい。
【０１８１】
図１３は、コンピュータシステム９００の内部構成の一例を示す図である。図１３において、コンピュータ９０１は、ディスクドライブ９０５に加えて、ＭＰＵ９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ９１３と、アプリケーションプログラム、システムプログラム、およびデータを記憶するストレージ９１４と、ＭＰＵ９１１、ＲＯＭ９１２等を相互に接続するバス９１５と、外部ネットワークや内部ネットワーク等のネットワークへの接続を提供するネットワークカード９１６と、を備える。ストレージ９１４は、例えば、ハードディスク、ＳＳＤ、フラッシュメモリなどである。
【０１８２】
コンピュータシステム９００に、予約管理装置１等の機能を実行させるプログラムは、例えば、ＤＶＤ、ＣＤ−ＲＯＭ等のディスク９２１に記憶されて、ディスクドライブ９０５に挿入され、ストレージ９１４に転送されてもよい。これに代えて、そのプログラムは、ネットワークを介してコンピュータ９０１に送信され、ストレージ９１４に記憶されてもよい。プログラムは、実行の際にＲＡＭ９１３にロードされる。なお、プログラムは、ディスク９２１、またはネットワークから直接、ロードされてもよい。また、ディスク９２１に代えて他の着脱可能な記録媒体（例えば、ＤＶＤやメモリカード等）を介して、プログラムがコンピュータシステム９００に読み込まれてもよい。
【０１８３】
プログラムは、コンピュータの詳細を示す９０１に、予約管理装置１等の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム９００がどのように動作するのかについては周知であり、詳細な説明は省略する。
【０１８４】
なお、上述したコンピュータシステム９００は、サーバまたは据え置き型のＰＣであるが、管理端末２またはユーザ端末３のうち１以上の端末は、例えば、タブレット端末やスマートフォンやノートＰＣといった、携帯端末で実現されてもよい。この場合、例えば、キーボード９０２およびマウス９０３はタッチパネルに、ディスクドライブ９０５はメモリカードスロットに、ディスク９２１はメモリカードに、それぞれ置き換えられることが望ましい。ただし、以上は例示であり、予約管理装置１等を実現するコンピュータのハードウェア構成は問わない。
【０１８５】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０１８６】
また、上記プログラムを実行するコンピュータは、単数であってもよく、複数であってもよい。すなわち、集中処理を行ってもよく、あるいは分散処理を行ってもよい。
【０１８７】
また、上記各実施の形態において、一の装置に存在する２以上の通信手段は、物理的に一の媒体で実現されてもよいことはいうまでもない。
【０１８８】
また、上記各実施の形態において、各処理は、単一の装置によって集中処理されることによって実現されてもよく、あるいは、複数の装置によって分散処理されることによって実現されてもよい。
【０１８９】
本発明は、以上の実施の形態に限定されることなく、種々の変更が可能であり、それらも本発明の範囲内に包含されるものであることはいうまでもない。
【産業上の利用可能性】
【０１９０】
以上のように、本発明にかかる予約管理装置等は、カーシェアリングサービスにおける複数のステーションのオーナーが提供し、複数の管理組織であるパートナーにより管理される複数のステーションをシームレスに予約するプラットフォームを提供できるという効果を有し、カーシェアリングサービスにおける車両の予約を管理する予約管理装置等として有用である。
【符号の説明】
【０１９１】
１  予約管理装置
２  管理端末
３  ユーザ端末
１１  格納部
１２  受付部
１３  受信部
１４  処理部
１５  送信部
２１  管理受付部
２２  管理処理部
２３  管理出力部
２４  管理受信部
２５  管理送信部
３１  ユーザ受付部
３２  ユーザ処理部
３３  ユーザ送信部
３４  ユーザ受信部
３５  ユーザ出力部
１１１  カーシェア情報格納部
１１２  オーナー情報格納部
１１３  パートナー情報格納部
１１４  画面情報格納部
１１５  予約情報格納部
１３１  画面出力指示受信部
１３２  貸与指示受信部
１４１  パートナー登録部
１４２  オーナー登録部
１４３  予約情報構成部
１４４  課金処理部
１４５  分配処理部
１５１  画面情報送信部
【図１】
2018200589.tif 000003
【図２】
2018200589.tif 000004
【図３】
2018200589.tif 000005
【図４】
2018200589.tif 000006
【図５】
2018200589.tif 000007
【図６】
2018200589.tif 000008
【図７】
2018200589.tif 000009
【図８】
2018200589.tif 000010
【図９】
2018200589.tif 000011
【図１０】
2018200589.tif 000012
【図１１】
2018200589.tif 000013
【図１２】
2018200589.tif 000014
【図１３】
2018200589.tif 000015